(57)【要約】      （修正有）【課題】従来品よりもコストダウンをしつつ脚部と取付ブラケットとの継ぎ目をすっきりと見せ、かつ強度を維持できるテーブル用脚取付ブラケットを提供する。【解決手段】テーブル１の天板２に取り付けられると共に、上下に延びる脚部３の上端と、天板２に沿って延びる補強部材４ａ，４ｂの一端とを連結するテーブル用脚取付ブラケット１０において、天板２の裏面に当接すると共に、この天板２に取付固定される天板取付面１１と、天板取付面１１の一部を構成し、裏面側に脚部３の上端面３ａの全体が当接する平坦な脚部上端当接部及びこの脚部上端当接部に連続し、脚部３の上端外周の少なくとも一部を覆う脚部外周当接部１４ｂを有する脚部上端収容部と、補強部材４ａ，４ｂの一端を固定する複数の補強部材固定部１５ａ，１５ｂとを有する。【選択図】図３
2020075082.tif 000002
【特許請求の範囲】
【請求項１】
テーブルの天板に取り付けられると共に、上下に延びる脚部の上端と、天板に沿って延びる補強部材の一端とを連結するテーブル用脚取付ブラケットにおいて、
上記天板の裏面に当接すると共に該天板に取付固定される天板取付面と、
上記天板取付面の一部を構成し、裏面側に上記脚部の上端面の全体が当接する平坦な脚部上端当接部及び該脚部上端当接部に連続し、上記脚部の上端外周の少なくとも一部を覆う脚部外周当接部を有する脚部上端収容部と、
上記補強部材の一端を固定する複数の補強部材固定部とを有する
ことを特徴とするテーブル用脚取付ブラケット。
【請求項２】
請求項１に記載のテーブル用脚取付ブラケットにおいて、
上記補強部材固定部は、
上記補強部材が当接する補強部材当接面と、
上記補強部材当接面と反対側の該補強部材を固定する締結部材を締結する空間を区画する締結用凹部とを有し、
上記補強部材固定部は、少なくとも３つ以上設けられており、上記天板の形に合わせて上記補強部材の固定位置を選択可能に構成されている
ことを特徴とするテーブル用脚取付ブラケット。
【請求項３】
請求項１又は２に記載のテーブル用脚取付ブラケットにおいて、
上記天板取付面は、矩形状であり、
上記天板取付面の１つの角部に上記脚部上端収容部が設けられ、
上記１つの角部に対向する他方の角部を構成する一対の側面にそれぞれ２つ以上の補強部材固定部が形成されている
ことを特徴とするテーブル用脚取付ブラケット。
【請求項４】
請求項３に記載のテーブル用脚取付ブラケットにおいて、
上記１つの角部に対向する他方の角部にも、補強部材固定部が形成されている
ことを特徴とするテーブル用脚取付ブラケット。
【請求項５】
請求項１から４のいずれか１つに記載のテーブル用脚取付ブラケットにおいて、
１つの鋳造部品で構成されている
ことを特徴とするテーブル用脚取付ブラケット。
【請求項６】
請求項１から５のいずれか１つに記載のテーブル用脚取付ブラケットを備えるテーブルであって、
複数の上下に延びる脚部と、
上記天板に沿って延びる補強部材とを備え、
上記テーブル用脚取付ブラケットが、上記脚部の上端及び上記補強部材の一端を連結している
ことを特徴とするテーブル。
【請求項７】
天板と、
複数の上下に延びる脚部と、
天板に沿って延びる補強部材と、
上記脚部の上端及び上記補強部材の一端を連結する３つ以上の取付ブラケットとを備えるテーブルであって、
上記取付ブラケットは、
上記天板の裏面に当接すると共に該天板に取付固定される天板取付面と、
上記天板取付面の一部を構成し、裏面側に上記脚部の上端面の全体が当接する平坦な脚部上端当接部及び該脚部上端当接部に連続し、上記脚部の上端外周の少なくとも一部を覆う脚部外周当接部を有する脚部上端収容部と、
上記補強部材の一端を固定する複数の補強部材固定部とを有し、
上記脚部の上端は、切欠が設けられておらず水平である
ことを特徴とするテーブル。
【請求項８】
請求項７に記載のテーブルにおいて、
上記脚部は、外径の異なる２つの円弧を一対の接線で繋いだ断面形状の外形を有し、
上記脚部上端収容部は、上記脚部の上端面における大きい側の円弧の全体及び上記一対の接線の少なくとも一方側を覆うと共に、小さい側の円弧の全体が側方に露出している
ことを特徴とするテーブル。
【請求項９】
請求項８に記載のテーブルにおいて、
上記脚部の断面のうち一対の接線を構成する部分で構成された上下に延びる平坦面における上下方向中間部に、他の脚部と連結される脚掛け部材が連結可能に構成されている
ことを特徴とするテーブル。
【発明の詳細な説明】
【技術分野】
【０００１】
本発明は、テーブル用脚取付ブラケット及びテーブルに関し、特に天板、脚部及び補強部材を固定する構造に関する。
【背景技術】
【０００２】
従来より、天板、天板裏の補強部材、テーブル用脚取付ブラケット及びパイプ等よりなる脚による４本脚テーブルが既に知られている。
【０００３】
例えば、特許文献１のように、天板と、この天板の下面に添設された補強ビームと、この補強ビームに関連させて天板の下面に取付けられた脚とを具備してなるテーブルが知られている。このテーブルでは、天板が、補強ビームの特定の側面に沿う位置に脚を取付けるための取付部を複数備え、補強ビームが、特定の側面における取付部に対応する箇所にそれぞれ脚に係わり合う係合部を備え、脚が、いずれかの係合部に係合した状態で対応する取付部に取付けられている。
【０００４】
また、特許文献２のように、天板の隅部下面を脚ベースを介して脚に支持させてなるものにおいて、脚ベースを、基端側に対して延出端側を幅広とし、基端側の下面に脚取付部を形成するとともに、その延出端側の立面に、他の脚ベースとの間を連結する架材をこの架材の端面を引き付けて取付けるための複数の架材取付面を形成し、配置方向の異なる複数の脚ベース間を複数の架材で連結したテーブルが知られている。
【先行技術文献】
【特許文献】
【０００５】
【特許文献１】特開２０１７−７９８２０号公報
【特許文献２】特開２０１３−１０３０３４号公報
【発明の概要】
【発明が解決しようとする課題】
【０００６】
しかしながら、特許文献１のテーブルでは、脚を接続するために出っ張った繋ぎ部分（外方ブロック部）を設けなければならないため、ブラケットがその分大きくなり、コストがアップするという問題がある。また、接合部をすっきりと見せるために脚側に切欠を設けなければならず、これにも工数がかかってコストアップ要因になるという問題がある。つまり、脚部の剛性確保とデザイン性の両立が困難であった。
【０００７】
また、特許文献２のテーブルでは、脚に切欠を設けていないが、第１の脚嵌合部を大きく突出させなければならず、コストがアップするという問題がある。
【０００８】
本発明は、かかる点に鑑みてなされたものであり、その目的とするところは、従来品よりもコストダウンをしつつ脚部と取付ブラケットの継ぎ目をすっきりと見せ、かつ強度を維持することにある。
【課題を解決するための手段】
【０００９】
上記の目的を達成するために、この発明では、脚部上端を切り欠くことなく補強部材と共に確実に保持するようにした。
【００１０】
具体的には、第１の発明では、
テーブルの天板に取り付けられると共に、上下に延びる脚部の上端と、天板に沿って延びる補強部材の一端とを連結するテーブル用脚取付ブラケットを前提とし、
上記テーブル用脚取付ブラケットは、
上記天板の裏面に当接すると共に該天板に取付固定される天板取付面と、
上記天板取付面の一部を構成し、裏面側に上記脚部の上端面の全体が当接する平坦な脚部上端当接部及び該脚部上端当接部に連続し、上記脚部の上端外周の少なくとも一部を覆う脚部外周当接部を有する脚部上端収容部と、
上記補強部材の一端を固定する複数の補強部材固定部とを有する。
【００１１】
上記の構成によると、テーブル用脚取付ブラケットの平坦な脚部上端当接部に脚部の上端面の全体を当接させ、脚部外周当接部で脚部上端の側面を覆うようにしているので、従来のような脚部上端当接部に出っ張りを設けて接続部を確保しなくても接続強度を保つことができ、また、この接続部を避けるために脚部上端に切欠を設ける必要がない。このため、テーブル用脚取付ブラケットのサイズが大きくならず、また外観がよい。
【００１２】
第２の発明では、第１の発明において、
上記補強部材固定部は、
上記補強部材が当接する補強部材当接面と、
上記補強部材当接面と反対側の該補強部材を固定する締結部材を締結する空間を区画する締結用凹部とを有し、
上記補強部材固定部は、少なくとも３つ以上設けられており、上記天板の形に合わせて上記補強部材の固定位置を選択可能に構成されている。
【００１３】
上記の構成によると、天板の形に合わせて補強部材の固定位置を選択できるので、テーブル用脚取付ブラケットを様々な形のテーブルに利用でき、異なる形のテーブル毎に専用のテーブル用脚取付ブラケットを用意する必要がない。
【００１４】
第３の発明では、第１又は第２の発明において、
上記天板取付面は、矩形状であり、
上記天板取付面の１つの角部に上記脚部上端収容部が設けられ、
上記１つの角部に対向する他方の角部を構成する一対の側面にそれぞれ２つ以上の補強部材固定部が形成されている。
【００１５】
上記の構成によると、天板の形状が他方のテーブル用脚取付ブラケットのある側に向かって幅が細くなるような場合には、脚部が取り付けられる角部と反対側の、他方の角部に近い方の補強部材固定部を使うことにより、矩形状の天板を有するテーブルと同じテーブル用脚取付ブラケットを利用できる。
【００１６】
第４の発明では、第３の発明において、
上記１つの角部に対向する他方の角部にも、補強部材固定部が形成されている。
【００１７】
上記の構成によると、さらに異なる天板形状のテーブルにも使用できる。
【００１８】
第５の発明では、第１から第４のいずれか１つの発明において、
１つの鋳造部品で構成されている。
【００１９】
上記の構成によると、部品点数が減ると共に、比較的複雑な形状でも成形できる。
【００２０】
第６の発明のテーブルは、
第１から第５のいずれか１つの発明のテーブル用脚取付ブラケットと、
複数の上下に延びる脚部と、
上記天板に沿って延びる補強部材とを備え、
上記テーブル用脚取付ブラケットが、上記脚部の上端及び上記補強部材の一端を連結している。
【００２１】
上記の構成によると、様々な形状の天板を有する外観がよく強度の高いテーブルが得られる。
【００２２】
第７の発明のテーブルは、
天板と、
複数の上下に延びる脚部と、
天板に沿って延びる補強部材と、
上記脚部の上端及び上記補強部材の一端を連結する３つ以上の取付ブラケットとを備えており、
上記取付ブラケットは、
上記天板の裏面に当接すると共に該天板に取付固定される天板取付面と、
上記天板取付面の一部を構成し、裏面側に上記脚部の上端面の全体が当接する平坦な脚部上端当接部及び該脚部上端当接部に連続し、上記脚部の上端外周の少なくとも一部を覆う脚部外周当接部を有する脚部上端収容部と、
上記補強部材の一端を固定する複数の補強部材固定部とを有し、
上記脚部の上端は、切欠が設けられておらず水平である。
【００２３】
上記の構成によると、テーブル用脚取付ブラケットの平坦な脚部上端当接部に脚部の切欠のない水平な上端面の全体を当接させ、脚部外周当接部で脚部上端の側面を覆うようにしているので、従来のような脚部上端当接部に出っ張りを設けて接続部を確保する必要がなく、また、この接続部を避けるために脚部上端に切欠を設ける必要がない。このため、テーブル用脚取付ブラケットのサイズが大きくならず、また外観がよいテーブルが得られる。
【００２４】
第８の発明では、第７の発明において、
上記脚部は、外径の異なる２つの円弧を一対の接線で繋いだ断面形状の外形を有し、
上記脚部上端収容部は、上記脚部の上端面における大きい側の円弧の全体及び上記一対の接線の少なくとも一方側を覆うと共に、小さい側の円弧の全体が側方に露出している。
【００２５】
上記の構成によると、取付ブラケットとの連結部における一方側の側面の全体が露出しているので、外観がよい。また、脚部の露出している側の側面が内側の側面よりも小さいため、脚部がスマートに見える。
【００２６】
第９の発明では、第８の発明において、
上記脚部の断面のうち一対の接線を構成する部分で構成された上下に延びる平坦面における上下方向中間部に、他の脚部と連結される脚掛け部材が連結可能に構成されている。
【００２７】
上記の構成によると、脚部の長さを長くしたときに、上下方向中間部の平坦面に脚掛け部材を連結することにより、容易に剛性を確保できる。
【発明の効果】
【００２８】
以上説明したように、本発明によれば、取付ブラケットの形状を工夫することにより取付ブラケットの突出部と脚部側の切欠がなくても、必要な強度を持って取付ブラケットと脚部とが接続できるようになったので、従来品よりコストダウンをしつつ脚部と取付ブラケットとの継ぎ目をすっきりと見せ、かつ強度を維持することができる。
【図面の簡単な説明】
【００２９】
【図１】本発明の実施形態１に係るテーブル用脚取付ブラケットを備えたテーブルの全体を示す斜視図である。
【図２】テーブルを下方から見た斜視図である。
【図３】図２のIII部拡大斜視図である。
【図４】テーブル用脚取付ブラケット、脚部及び補強部材を拡大して示す斜視図である。
【図５】本発明の実施形態１に係るテーブル用脚取付ブラケットを示す斜視図である。
【図６Ａ】本発明の実施形態１の変形例１に係るテーブル用脚取付ブラケットを備えたテーブルの全体を示す斜視図である。
【図６Ｂ】図６ＡのVIB−VIB線拡大端面図である。
【図７】本発明の実施形態１の変形例２に係るテーブル用脚取付ブラケットを備えたテーブルの全体を示す斜視図である。
【図８】本発明の実施形態２に係るテーブル用脚取付ブラケットを示す斜視図である。
【図９】本発明の実施形態２に係るテーブル用脚取付ブラケットを備えたテーブルの全体を示す底面図である。
【図１０】本発明の実施形態２の変形例に係るテーブル用脚取付ブラケットを備えたテーブルの全体を示す底面図である。
【発明を実施するための形態】
【００３０】
以下、本発明の実施形態を図面に基づいて説明する。
【００３１】
（実施形態１）
図１〜図５は本発明の実施形態１に係るテーブル１を示し、このテーブル１は、例えば矩形状の天板２と、４本の上下に延びる脚部３と、天板２に沿って延びる例えば角パイプ状の４本の補強部材４ａ，４ｂと、脚部３の上端及び補強部材４ａ，４ｂの一端を連結する４つのテーブル用脚取付ブラケットとしての取付ブラケット１０とを備えている。
【００３２】
テーブル１は、平板状のもので、下記変形例２（図７参照）のように、平面視でそら豆状など特に限定されない。図示しないが、天板２裏面の四角の近傍には、取付ブラケット１０を固定するための、例えば４つのネジ孔がそれぞれ予め定められた位置に設けられている。
【００３３】
脚部３は、例えば、アルミの押出成形品であり、図４に上端面３ａ及びその周辺を拡大して示すように、その上端面３ａは、切欠が設けられておらず水平である。また、脚部３は、外径の異なる２つの円弧を一対の接線で繋いだような断面形状の外形を有する。つまり、脚部３は、上下方向に略同一断面の、外径の大きい内側湾曲部３ｂ、外径の小さい外側湾曲部３ｃ及びこれらを繋ぐ一対の脚部平坦面３ｄを有し、その内面には、例えば、３本の上下に延びる縦リブ３ｅが設けられている。内側湾曲部３ｂ及び外側湾曲部３ｃには上下に延びる縦縞が形成されている。これらは、押出成形時に成形される。図３に示すように、脚部３の下端には、載置面に接触する滑り止めブラケット３ｆが固定されている。取付ブラケット１０や滑り止めブラケット３ｆを脚部３に固定するときには、例えば、長めのタッピングネジ（図示せず）を縦リブ３ｅの貫通孔３ｇに締め付ければよい。なお、詳細は後述するが、図６Ｂに示すように、脚部３の内面には、脚掛け部材１０５等を固定可能なネジ板１０５ｆ等を取り付けできるようになっている。
【００３４】
本実施形態の取付ブラケット１０は、例えば、アルミダイキャストの一部品よりなり、図４に示すように、天板２の裏面に当接すると共に、この天板２に取付固定される天板取付面１１を備えている。天板取付面１１は、取付ブラケット１０がダイキャスト製ということもあり、上記ネジ孔に対応するボルト挿通孔１２の周縁や、それに連続する取付ブラケット１０の外周縁１３で構成されている。
【００３５】
また、取付ブラケット１０は、天板２の角部に対応する１つの角部から延長して形成され、天板取付面１１の一部を構成し、裏面側に脚部３の上端が取り付けられる脚部上端収容部１４を有する。この脚部上端収容部１４には、脚部３の上端面３ａ（図４参照）の全体が当接する平坦な脚部上端当接部１４ａ（図５参照）と、この脚部上端当接部１４ａに連続し、脚部３の上端外周の少なくとも一部を覆う脚部外周当接部１４ｂ（図３参照）が形成されている。
【００３６】
具体的には、脚部上端当接部１４ａは、パイプ状の脚部３の上端面３ａに合わせて連続した水滴の輪郭形状のように連続した平面よりなり、この脚部上端当接部１４ａには、タッピングネジを脚部３に締結するための３つのボルト挿通孔１４ｃ（図４及び図５参照）が設けられている。また、脚部上端当接部１４ａの内側には、内側リブ部１４ｄが突出して形成されているが、この内側リブ部１４ｄは、取付ブラケット１０の他の下面よりも出っ張らないように一体成形されている。
【００３７】
図３に示すように、脚部外周当接部１４ｂは、脚部３の上端外周の内側湾曲部３ｂの全体及び脚部平坦面３ｄの内側を覆う。図５にも示すように、この脚部外周当接部１４ｂは、先端が互いに同じ方向に延びる一対の平板状であり、この形状により、脚部３の上端面における内側湾曲部３ｂの全体及び一対の脚部平坦面３ｄの内側湾曲部３ｂ側を覆うと共に、外側湾曲部３ｃの全体は、側方に露出している。
【００３８】
図５に示すように、取付ブラケット１０は、補強部材４ａ，４ｂの一端を固定する４つの補強部材固定部１５ａ，１５ｂを有する。取付ブラケット１０の内側の２つの側面にそれぞれ設けた一対の補強部材固定部１５ａ，１５ｂは、外側補強部材固定部１５ａとこれに並ぶ内側補強部材固定部１５ｂよりなる。
【００３９】
各補強部材固定部１５ａ，１５ｂは、補強部材４ａ，４ｂが当接する補強部材当接面１６と、この補強部材当接面１６と反対側の補強部材４ａ，４ｂを固定する締結部材（図示せず）を締結する空間を区画する締結用凹部１７とを有する。
【００４０】
本実施形態では、補強部材固定部１５ａ，１５ｂは、合計４つ設けられているが、３つ設けられていたり、５つ以上設けられていてもよい。要は、天板２の形に合わせて補強部材４ａ，４ｂの固定位置を選択可能に構成されている。
【００４１】
本実施形態では、補強部材４ａ，４ｂは、一対の長尺補強部材４ａと一対の短尺補強部材４ｂとを有する。それぞれの取付ブラケット１０には、これら一対の補強部材４ａ，４ｂの一端が外側補強部材固定部１５ａにおいて、それぞれ固定されている。
【００４２】
また、図５に示すように、取付ブラケット１０の中央部の空いたスペースには、例えば、３つのオプション部品取付孔１８が設けられている。このオプション部品取付孔１８を利用して、図３に拡大して示すように、引っ掛け部などのオプション部品２０を適宜取付可能となっている。
【００４３】
以上説明したように、本実施形態では、テーブル用脚取付ブラケット１０の平坦な脚部上端当接部１４ａに脚部３の上端面３ａの全体を当接させ、脚部外周当接部１４ｂで脚部３上端の側面の少なくとも一部を覆うようにしているので、従来のような脚部上端当接部１４ａに出っ張りを設けて接続部を確保する必要がなく、また、この接続部を避けるために脚部３上端に切欠を設ける必要がない。このため、テーブル用脚取付ブラケット１０のサイズが大きくならず、さらに外観がよいテーブル１が得られる。
【００４４】
また本実施形態では、取付ブラケット１０との連結部における外側湾曲部３ｃの全体が露出しているので、外観がよい。また、脚部３の露出している外側湾曲部３ｃの外径が内側湾曲部３ｂの外径よりも小さいため、脚部３がスマートに見える。
【００４５】
さらに、テーブル用脚取付ブラケット１０は、１つの鋳造部品で構成されているので、部品点数が減ると共に、比較的複雑な形状でも成形できる。
【００４６】
したがって、本実施形態に係るテーブル用脚取付ブラケット１０によると、取付ブラケット１０の形状を工夫することにより、取付ブラケット１０の突出部と、脚部３側の切欠がなくても必要な強度を持って取付ブラケット１０と脚部３とを接続できるので、従来品よりもコストダウンをしつつ、脚部３と取付ブラケット１０との継ぎ目をすっきりと見せ、かつ強度を維持することができる。
【００４７】
−実施形態１の変形例１−
図６Ａ及び図６Ｂは本発明の実施形態１の変形例１に係るテーブル１０１を示し、脚部１０３の長さが長く、脚部１０３の上下中間部が互いに連結されている点で上記実施形態１と異なる。なお、以下の変形例及び実施形態２では、図１〜図５と同じ部分については同じ符号を付してその詳細な説明は省略する。
【００４８】
本変形例のテーブル１０１は、上記実施形態１の脚部３に比べて脚部１０３の長さが長くなっている。このため、各脚部１０３は、他の脚部１０３と脚掛け部材１０５で連結されている。
【００４９】
この脚掛け部材１０５において、一対の短尺側平板１０５ａの両端には、所定位置でそれぞれ折り曲げられ、先端が若干幅広になって延びる幅広部１０５ｂが形成されている。そして、脚部１０３の内面には、山形状に折り曲げられたネジ板１０５ｆが取り付けられており、このネジ板１０５ｆの溶着ナット１０５ｇと幅広部１０５ｂのボルト挿通孔１０５ｃとにネジ等を挿通して締結することにより、幅広部１０５ｂが脚部平坦面３ｄに対して確実に固定されている。短尺側平板１０５ａの折曲部の手前にも同様にボルト挿通孔１０５ｄが形成されており、このボルト挿通孔１０５ｄを利用して長尺側部材１０５ｅを固定可能となっている。この長尺側部材１０５ｅは、例えばアルミの押出成形品等で構成するとよい。
【００５０】
本実施形態では、脚部１０３の長さを長くしたときでも、上下方向中間部の脚部平坦面３ｄに脚掛け部材１０５を連結することにより、容易に剛性を確保できるので、確実に剛性不足による揺れを防止することができる。
【００５１】
−実施形態１の変形例２−
図７は本発明の実施形態１の変形例２に係るテーブル２０１を示し、天板２０２の形状及び補強部材２０４ａ，２０４ｂ，２０４ｃの固定位置が異なる点で上記実施形態１と異なる。
【００５２】
本変形例のテーブル２０１は、平面視そら豆状の天板２０２を有する。これに合わせて各補強部材２０４ａ，２０４ｂ，２０４ｃの長さが決定されている。
【００５３】
そして、本変形例の特徴として、天板２０２の幅の狭い側において、長尺の一対の補強部材２０４ａの端部は、一対の取付ブラケット１０の外側補強部材固定部１５ａにそれぞれ固定されている。これら長尺の一対の補強部材２０４ａ，２０４ａの他端側は、幅の広い側の一対の取付ブラケット１０内側補強部材固定部１５ｂにそれぞれ固定されている。
【００５４】
一方、短尺の一対の補強部材２０４ｂ，２０４ｃは、それぞれ各取付ブラケット１０の外側補強部材固定部１５ａに固定されている。
【００５５】
このような取付のため、短尺の一対の補強部材２０４ｂ，２０４ｃは、一方の補強部材２０４ｂが他方補強部材２０４ｃよりも短くなっている。
【００５６】
本変形例のように、天板２０２の形状が他方のテーブル用脚取付ブラケット１０のある側に向かって幅が細くなるような場合には、脚部３が設けられる脚部上端収容部１４と反対側の他方の角部において、この角部に近い方の内側補強部材固定部１５ｂを長尺の一対の補強部材２０４ａ，２０４ａの固定に使うことにより、矩形状の天板２を有するテーブルと同じテーブル用脚取付ブラケット１０を利用できる。
【００５７】
近年、働き方改革の流れからテーブル型のワークステーションが増えてきたため、異形や組み合わせ天板などで、それぞれの働き方に合ったテーブルが求められている。本変形例のように、同じ取付ブラケット１０により補強部材２０４ａ，２０４ｂ，２０４ｃの固定位置を天板２０２の形状に合わせて変更できるので、上記ニーズにも幅広く対応できる。
【００５８】
したがって、天板２，２０２の形に合わせて補強部材４ａ，４ｂ，２０４ａ，２０４ｂ，２０４ｃの固定位置を選択できるので、テーブル用脚取付ブラケット１０を様々な形のテーブルに利用でき、異なる形のテーブル毎に専用のテーブル用脚取付ブラケット１０を用意する必要がない。
【００５９】
（実施形態２）
図９は本発明の実施形態２に係るテーブル３０１を示し、このテーブル３０１は、丸みを帯びた三角形状の天板３０２を備え、その天板３０２の角部に実施形態２に係るテーブル用脚取付ブラケット３１０がそれぞれ取り付けられている。
【００６０】
図８に拡大して示すように、本実施形態のテーブル用脚取付ブラケット３１０は、上記実施形態１のテーブル用脚取付ブラケット１０の脚部上端収容部１４と反対側の角部にも補助部材当接面３１６が設けられている。
【００６１】
本実施形態では、３か所に設けたテーブル用脚取付ブラケット３１０の補助部材当接面３１６に第１補強部材３０４ａの端部と一対の第２補強部材３０４ｂの端部とがそれぞれ連結されている。
【００６２】
したがって、本実施形態のテーブル用脚取付ブラケット３１０は、さらに補強部材の取付のバリエーションが増えている。
【００６３】
−実施形態２の変形例−
図１０は本発明の実施形態２に係るテーブル４０１を示し、このテーブル４０１は、底辺が内側に凹んだような五角形状の天板４０２を有する。
【００６４】
この五角形状の天板４０２の各角部にテーブル用脚取付ブラケット３１０がそれぞれ設けられている。
【００６５】
本実施形態では、５つのテーブル用脚取付ブラケット３１０のうち、４つのものは上記実施形態１と同様の補強部材当接面１６を利用して第１補強部材４０４ａ及び第２補強部材４０４ｂが連結されている。５角形の頂点のテーブル用脚取付ブラケット３１０は、角部の補助部材当接面３１６を利用して第３補強部材４０４ｃが結合されている。第３補強部材４０４ｃは、第２補強部材４０４ｂの端部が連結されている。
【００６６】
このように、実施形態１のテーブル用脚取付ブラケット１０が利用できないような天板４０２の形状でも、本実施形態のテーブル用脚取付ブラケット３１０を利用できる。
【００６７】
（その他の実施形態）
本発明は、上記各実施形態について、以下のような構成としてもよい。
【００６８】
すなわち、上記実施形態１では、横並びの外側補強部材固定部１５ａ及び内側補強部材固定部１５ｂのいずれか一方にのみ補強部材４ａ，４ｂ，２０４ａ，２０４ｂ，２０４ｃを固定しているが、例えば、天板が通常よりも長尺である場合、剛性を確保するために長尺側の２本の補強部材を外側補強部材固定部１５ａ及び内側補強部材固定部１５ｂの両方に固定するようにしてもよい。
【００６９】
上記実施形態２では、補助部材当接面３１６に１つの補強部材のみを結合できるようにしているが、２つ以上結合できるようにしてもよい。
【００７０】
なお、以上の実施形態は、本質的に好ましい例示であって、本発明、その適用物や用途の範囲を制限することを意図するものではない。
【符号の説明】
【００７１】
１      テーブル
２      天板
３      脚部
３ａ    上端面
３ｂ    内側湾曲部
３ｃ    外側湾曲部
３ｄ    脚部平坦面
３ｅ    縦リブ
３ｆ    滑り止めブラケット
３ｇ    貫通孔
４ａ    長尺補強部材
４ｂ    短尺補強部材
１０      取付ブラケット（テーブル用脚取付ブラケット）
１１      天板取付面
１２      ボルト挿通孔
１３      外周縁
１４      脚部上端収容部
１４ａ    脚部上端当接部
１４ｂ    脚部外周当接部
１５ａ    外側補強部材固定部
１５ｂ    内側補強部材固定部
１６      補強部材当接面
１７      締結用凹部
１８      オプション部品取付孔
２０      オプション部品
１０１      テーブル
１０３      脚部
１０５      脚掛け部材
１０５ａ    短尺側平板
１０５ｂ    幅広部
１０５ｃ    ボルト挿通孔
１０５ｄ    ボルト挿通孔
１０５ｅ    長尺側部材
１０５ｆ    ネジ板
１０５ｇ    溶着ナット
２０１      テーブル
２０２      天板
２０４ａ，２０４ｂ，２０４ｃ  補強部材
３０１      テーブル 
３０２      天板 
３０４ａ    第１補強部材 
３０４ｂ    第２補強部材 
３１０      テーブル用脚取付ブラケット 
３１６      補助部材当接面 
４０１      テーブル 
４０２      天板 
４０４ａ    第１補強部材 
４０４ｂ    第２補強部材 
４０４ｃ    第３補強部材 
【図１】
2020075082.tif 000003
【図２】
2020075082.tif 000004
【図３】
2020075082.tif 000005
【図４】
2020075082.tif 000006
【図５】
2020075082.tif 000007
【図６Ａ】
2020075082.tif 000008
【図６Ｂ】
2020075082.tif 000009
【図７】
2020075082.tif 000010
【図８】
2020075082.tif 000011
【図９】
2020075082.tif 000012
【図１０】
2020075082.tif 000013